(57)【要約】【課題】視聴者端末で配信コンテンツを再生させることで、配信者が体験した内容を視聴者に疑似体験させること。【解決手段】コンテンツ取得部７０は、第１コンテンツ取得部として、配信コンテンツを取得する。有害情報解析部７１は、コンテンツ取得部７０に取得された配信コンテンツを解析して有害情報を抽出する。加工部７３は、有害情報解析部７１が有害情報を抽出したことに応じて、抽出された有害情報が認識不可能な状態となる様に、配信コンテンツを加工する。配信制御部７４は、加工部７３に加工された配信コンテンツを、視聴者端末３に配信する制御を実行する。課金管理部７５は、有料コンテンツの視聴について課金の可否を確認する旨を視聴者端末３に問合せ、課金に応じる旨の応答が有れば、課金サーバ４に課金処理の実行を要求し、課金に応じない旨の応答が有れば、配信制御部７４に配信を停止させる。【選択図】図３
2018113546.tif 000002
【特許請求の範囲】
【請求項１】
配信者が体験した内容を配信コンテンツとして視聴者端末に送信し、
前記視聴者端末で前記配信コンテンツを再生させることで前記配信者が体験した内容を視聴者に疑似体験させる情報処理システムであって、
前記配信者が体験した内容を３Ｄ画像として再生させる為の１以上の視差の画像を撮像する撮像部と、
前記配信者が体験した内容を音声として取得する音声取得部と、
を含む配信者側システムと、
サービス提供サーバと、
前記視聴者端末と、
を含み、
前記配信者側システムは、
前記撮像部により撮像された前記１以上の画像と、前記音声取得部により取得された前記音声とを用いて、前記配信コンテンツを生成するコンテンツ生成部をさらに備え、
前記サービス提供サーバは、
前記配信コンテンツを取得する第１コンテンツ取得部と、
取得された前記配信コンテンツを、前記視聴者端末に配信する制御を実行する配信制御部と、
を備え、
前記視聴者端末は、
前記サービス提供サーバから配信された前記配信コンテンツを取得する第２コンテンツ取得部と、
取得された前記配信コンテンツを再生することで前記配信者が体験した内容を前記視聴者に疑似体験をさせる疑似体験提供部と、
を備える
情報処理システム。
【請求項２】
前記配信者側システムは、
前記配信者が必要に応じて、撮像中に当該撮像画像を加工して配信させる指示を当該撮像画像と関連付けて前記サービス提供サーバに送信する加工指示部
をさらに備え、
前記サービス提供サーバは、
前記第１コンテンツ取得部に取得された前記配信コンテンツを解析して有害情報を抽出する有害情報解析部と、
前記配信者側システムの前記加工指示部から送信された前記指示を取得する加工指示取得部と、
前記指示と前記有害情報との少なくとも一方に基づいて、前記配信コンテンツの少なくとも一部を加工する加工部と、
を更に備え、
前記配信制御部は、前記加工部により加工された前記配信コンテンツを、前記視聴者端末に配信する制御を実行する、
請求項１に記載の情報処理システム。
【請求項３】
前記サービス提供サーバは、
前記配信コンテンツが有料コンテンツである場合に、当該有料コンテンツの視聴について課金の可否を確認する旨を前記視聴者端末に問合せ、課金に応じる旨の応答を当該視聴者端末から受信すれば課金処理の実行を制御し、課金に応じない旨の応答を受信すれば前記配信制御部に対して配信を停止させる制御を実行する課金管理部
をさらに備え、
前記視聴者端末は、
前記有料コンテンツの視聴について課金の可否を前記視聴者に応答させ、当該応答を前記サービス提供サーバに送信する支払制御部
をさらに備える
請求項１又は２に記載の情報処理システム。
【発明の詳細な説明】
【技術分野】
【０００１】
本発明は、情報処理システムに関する。
【背景技術】
【０００２】
従来より、投稿者から投稿されて配信サーバに格納された動画について、システム管理者が簡単な操作で視聴者への配信中止等の各種処置を実施することができる動画投稿サイトが存在する（例えば特許文献１参照）。
【先行技術文献】
【特許文献】
【０００３】
【特許文献１】特開２００８−２１９８４２号公報
【発明の概要】
【発明が解決しようとする課題】
【０００４】
これらの動画投稿サイトは通常、数多くの端末で再生可能な、奥行きの無い平面の動画の投稿を受け付け、配信するものだった。
しかし、奥行きの無い平面の動画で有る為、装着型撮像機材を用いて撮影者の視界を再現しても、臨場感の点で、再現性が低かった。
【０００５】
本発明は、このような状況に鑑みてなされたものであり、視聴者端末で配信コンテンツを再生させることで、配信者が体験した内容を視聴者に疑似体験させることを目的とする。
【課題を解決するための手段】
【０００６】
上記目的を達成するため、本発明の一態様の情報処理システムは、
配信者が体験した内容を配信コンテンツとして視聴者端末に送信し、
前記視聴者端末で前記配信コンテンツを再生させることで前記配信者が体験した内容を視聴者に疑似体験させる情報処理システムであって、
前記配信者が体験した内容を３Ｄ画像として再生させる為の１以上の視差の画像を撮像する撮像部と、
前記配信者が体験した内容を音声として取得する音声取得部と、
を含む配信者側システムと、
サービス提供サーバと、
前記視聴者端末と、
を含み、
前記配信者側システムは、
前記撮像部により撮像された前記１以上の画像と、前記音声取得部により取得された前記音声とを用いて、前記配信コンテンツを生成するコンテンツ生成部をさらに備え、
前記サービス提供サーバは、
前記配信コンテンツを取得する第１コンテンツ取得部と、
取得された前記配信コンテンツを、前記視聴者端末に配信する制御を実行する配信制御部と、
を備え、
前記視聴者端末は、
前記サービス提供サーバから配信された前記配信コンテンツを取得する第２コンテンツ取得部と、
取得された前記配信コンテンツを再生することで前記配信者が体験した内容を前記視聴者に疑似体験をさせる疑似体験提供部と、
を備える。
【発明の効果】
【０００７】
本発明によれば、既存の動画投稿サイトを利用して３Ｄコンテンツを配信できる、特別な配信機構及び再生機構が不要な情報処理システムを提供することができる。
【図面の簡単な説明】
【０００８】
【図１】本発明の一実施形態に係る情報処理システムの構成を示すブロック図である。
【図２】図１の情報処理システムのうち、本発明の一実施形態に係るサービス提供サーバのハードウェア構成を示すブロック図である。
【図３】図２のサービス提供サーバの機能的構成例を示す機能ブロック図である。
【図４】本発明の情報処理システムの一実施形態の使用形態を示すイメージ図である。
【図５】図３の機能的構成を有するサービス提供サーバが実行する処理の流れの一例を説明するフローチャートである。
【発明を実施するための形態】
【０００９】
以下、本発明の実施形態について、図面を用いて説明する。
図１は、本発明の一実施形態に係る情報処理システムの構成を示すブロック図である。
【００１０】
図１に示す情報処理システムは、サービス提供サーバ１と、配信者側システム２と、視聴者端末３と、課金サーバ４と、を含むシステムである。
サービス提供サーバ１と、配信者側システム２と、視聴者端末３と、課金サーバ４との夫々とは、インターネット等の所定のネットワークＮを介して相互に接続されている。
なお、図１の例では、配信者側システム２は１セットしか図示されていないが、実際には多数の配信者側システム２が存在する。同様に、視聴者端末３は１台しか図示されていないが、実際には多数の視聴者端末３が存在する。また、サービス提供サーバ１や課金サーバ４も複数台で構成されてもよい。
【００１１】
サービス提供サーバ１は、配信者側システム２から提供される３Ｄコンテンツを視聴者端末３に対して配信して視聴させるサービスを提供する。
配信者側システム２は、配信者の身体に装着され、配信者自身の目線からの体験映像を、３Ｄコンテンツとして撮像して、サービス提供サーバ１に配信させる。
視聴者端末３は、視聴者により操作されるスマートフォン等で構成され、３Ｄコンテンツの再生等各種処理を実行する。
課金サーバ４は、３Ｄコンテンツのうち有料コンテンツを視聴者端末３が再生する場合において、その課金処理を実行する。
【００１２】
図２は、図１の情報処理システムのうち、サービス提供サーバ１のハードウェア構成を示すブロック図である。
【００１３】
サービス提供サーバ１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０とを備えている。
【００１４】
ＣＰＵ２１は、ＲＯＭ２２に記録されているプログラム、又は、記憶部２８からＲＡＭ２３にロードされたプログラムに従って各種の処理を実行する。
【００１５】
ＲＡＭ２３には、ＣＰＵ２１が各種の処理を実行する上において必要なデータ等も適宜記憶される。
【００１６】
ＣＰＵ２１、ＲＯＭ２２及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９及びドライブ３０が接続されている。
【００１７】
出力部２６は、ディスプレイにより構成され、各種画像を表示する。
入力部２７は、マウスやキーボード等で構成され、各種情報を入力する。
【００１８】
記憶部２８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、インターネットを含むネットワークＮを介して他の装置（図１の例では配信者側システム２や視聴者端末３や課金サーバ４）との間で行う通信を制御する。
【００１９】
ドライブ３０には、磁気ディスク、光ディスク、光磁気ディスク、或いは半導体メモリ等よりなる、リムーバブルメディア４１が適宜装着される。ドライブ３０によってリムーバブルメディア４１から読み出されたプログラムは、必要に応じて記憶部２８にインストールされる。また、リムーバブルメディア４１は、記憶部２８に記憶されている各種データも、記憶部２８と同様に記憶することができる。
【００２０】
図３は、情報処理システムの機能的構成例を示す機能ブロック図である。
【００２１】
図３に示す様に、配信者側システム２においては、左眼撮像部５１と右眼撮像部５２とからなるステレオカメラ５０、マイクロフォン５３、ミキシング部６０、加工指示部６５、及び通信部６６が設けられている。
ミキシング部６０には、左眼画像取得部６１と、右眼画像取得部６２と、音声データ取得部６３と、コンテンツ生成部６４とが設けられている。
【００２２】
図３に示す様に、サービス提供サーバ１のＣＰＵ２１においては、コンテンツ取得部７０と、有害情報解析部７１と、加工指示取得部７２と、加工部７３と、配信制御部７４と、課金管理部７５とが設けられている。
サービス提供サーバ１の記憶部２８においては、配信コンテンツＤＢ７６が設けられている。
図３に示す様に、視聴者端末３においては、通信部８０と、コンテンツ取得部８１と、疑似体験提供部８２と、表示部８５と、音声出力部８６と、支払制御部８７とが設けられている。疑似体験提供部８２には、３Ｄ画像出力制御部８３と、音声出力制御部８４とが設けられている。
【００２３】
左眼撮像部５１は、配信者が実際に観た光景を３Ｄ画像として再生させる為の左眼用画像を撮像する。
右眼撮像部５２は、配信者が実際に観た光景を３Ｄ画像として再生させる為の右眼用画像を撮像する。
マイクロフォン５３は、配信者が実際に聴いた音声を収録する。
【００２４】
左眼画像取得部６１は、左眼撮像部５１により撮像された左眼用画像のデータを取得する。
右眼画像取得部６２は、右眼撮像部５２により撮像された右眼用画像のデータを取得する。
音声データ取得部６３は、マイクロフォン５３から取得された音声のデータを取得する。
【００２５】
コンテンツ生成部６４は、左目用画像と右目用画像の各データと、音声のデータと、をミキシングすることにより、配信用の３Ｄコンテンツを生成する。
加工指示部６５は、配信者が必要に応じて撮像中に、その時点の撮像画像を加工して配信させる指示を行った場合、その指示と当該撮像画像と関連付けた情報を、サービス提供サーバ１に送信する。
【００２６】
サービス提供サーバ１において、コンテンツ取得部７０は、配信者側システム２から配信された３Ｄコンテンツを取得する。
有害情報解析部７１は、取得された３Ｄコンテンツを解析して、公序良俗を侵すような有害な映像等の情報が含まれている場合、それを有害情報として抽出する。
【００２７】
加工指示取得部７２は、配信者側システム２からの、所定時点の撮像画像を加工して配信させる指示を取得する。
加工部７３は、有害情報解析部７１の解析結果、及び、加工指示取得部７２により取得された指示に従って、３Ｄコンテンツのうち少なくとも一部を加工する。
例えば、加工部７３は、有害情報に基づいて、公序良俗を侵すような有害な映像が視聴者に視えないような加工（例えばモザイク処理等）を、３Ｄコンテンツのうち当該有害な映像に該当する部分に対して施す。
また例えば、配信者は、プライベートな時間帯に入り、当該時間帯の映像を配信したくない場合、配信者側システム２を操作して、当該時間帯の映像が視聴者に視えないように加工して配信させる指示を行うことができる。この場合、加工部７３は、当該指示に従って、当該時間帯の映像が視聴者に視えないような加工（例えばモザイク処理等）を、３Ｄコンテンツのうち当該時間帯の映像に該当する部分に対して施す。
【００２８】
配信制御部７４は、加工部７３により適宜加工が施された３Ｄコンテンツを、視聴者端末３に配信する制御を実行する。
【００２９】
課金管理部７５は、視聴者端末３に配信される３Ｄコンテンツのうち有料コンテンツについて、視聴者端末３の視聴者から課金をするために必要な各種制御を、視聴者端末３や課金サーバ４と通信することで実行する。
例えば３Ｄコンテンツのうち、最初の１０分だけの視聴分は無料として、それ以降の分は有料とする場合、課金管理部７５は、最初の視聴から所定時間を経過すると、課金の可否を確認する旨を視聴者端末３に問合せる。例えば、課金管理部７５は、「後２分で有料になります」等のメッセージを視聴者端末３に表示させる。
更に、課金管理部７５は、課金に応じる旨の応答が視聴者端末３からあれば、課金サーバ４に対して、視聴者端末３についての課金の実行を要求する。
一方、課金管理部７５は、課金に応じない旨の応答が有れば、配信制御部７４に対して配信を停止させる要求をする。
【００３０】
配信コンテンツＤＢ７６は、加工部７３により適宜加工された配信用の３Ｄコンテンツを記憶する。
これにより、必要に応じて配信制御部７４は、当該３Ｄコンテンツを配信コンテンツＤＢ７６から読み出して配信することにより、３Ｄコンテンツの録画配信（他人が過去に体験した内容を示す３Ｄコンテンツの配信）が、実現可能となる。
【００３１】
コンテンツ取得部８１は、サービス提供サーバ１から配信された３Ｄコンテンツを取得する。
疑似体験提供部８２のうち、３Ｄ画像出力制御部８３は、３Ｄコンテンツのうち３Ｄ映像部分を表示部８５に表示させ、音声出力制御部８４は、３Ｄコンテンツのうち音声部分を音声出力部８６から出力させる。
これにより、視聴者は、配信者が体験した内容（周囲の３Ｄ映像及び音声）を疑似体験することができる。具体的には例えば、詳細については図４を用いて参照するが、配信者自身の視界が、スマートフォン（視聴者端末３の一例）と専用のメガネだけで３Ｄ映像として再現され、配信者が体験した内容（観た光景及び聴いた音）を、視聴者に気軽に疑似体験させることが出来る。
【００３２】
図４は、本発明の情報処理システムの一実施形態の使用形態を示すイメージ図である。
【００３３】
表示画面１００は、サービス提供サーバ１が視聴者端末３に配信可能な３Ｄコンテンツ（複数人の配信者が実体験した内容を示す３Ｄコンテンツ）の一覧画面である。
視聴者は、本画面１００で関心の有る３Ｄコンテンツを探し、視聴者端末３で再生させることが出来る。
【００３４】
表示画面１０１は、視聴者端末３の画面であって、３Ｄコンテンツが再生されている画面である。
図４の例では、視聴者端末３の表示領域を左右に２分割して、左眼撮像部５１及び右眼撮像部５２において夫々撮像された映像が表示され（ステレオ映像が表示され）、専用のメガネを装着した視聴者が表示画面１０１をみることで、配信者が実際に視た内容が３Ｄ映像により再現される。
これにより、視聴者は、配信者が観た視界と同様の視界を観ることができ、配信者の体験した内容を、あたかも自身がしたかの如く体験（仮想体験）をすることができる。
【００３５】
図５は、図３の機能的構成を有するサービス提供サーバ１が実行する処理の流れの一例を説明するフローチャートである。
【００３６】
ステップＳ１において、サービス提供サーバ１のコンテンツ取得部７０は、配信用の３Ｄコンテンツを配信者側システム２から取得する。
【００３７】
ステップＳ２において、有害情報解析部７１は、ステップＳ１において取得された３Ｄコンテンツを解析することで、有害情報を抽出する。
【００３８】
ステップＳ３において、加工部７３は、加工指示取得部７２による指示やステップＳ２において抽出された有害情報に基づいて、ステップＳ１において取得された３Ｄコンテンツのうち加工部分（指示された部分や有害情報で特定される有害部分）を加工する。
【００３９】
ステップＳ４において、配信制御部７４は、３Ｄコンテンツを、視聴者端末３に配信する制御を実行する。
【００４０】
ステップＳ５において、課金管理部７５は、３Ｄコンテンツの視聴者端末３に対する課金の制御を実行する。
【００４１】
以上本発明の一実施形態について説明したが、本発明は、上述の実施形態に限定されるものではなく、本発明の目的を達成できる範囲での変形、改良等は本発明に含まれるものである。
例えば、上述の実施形態は、視聴者が視聴するに際しては専用のメガネを装着するものである。
しかしながら、特にこれに限定されず、視聴者端末は、裸眼３Ｄディスプレイを表示部として備えて良い。
【００４２】
また例えば、上述の実施形態では、視聴者端末の表示部を左右に分割して、それぞれに画像を割り当てていたが、特にこれに限定されない。
例えば、左右で９０度偏光したメガネや、レンズの夫々が補色を透過するメガネとすることにより、表示部を左右に分割することなく表示部全体に２画像を重ねて表示して良い。
【００４３】
また例えば、上述の実施形態では、スマートフォン及びメガネが採用されたが、特にこれに限定されず、ヘッドマウントディスプレイ単体であって良く、立体的に画像を認識させる装着であれば足り、ホログラムや、スクリーン投影であって良い。
【００４４】
また例えば、図３の機能的構成は例示に過ぎず、特に限定されない。即ち、上述した一連の処理を全体として実行できる機能が情報処理装置に備えられていれば足り、この機能を実現するためにどのような機能ブロックを用いるのかは特に図３の例に限定されない。また、機能ブロックの存在場所も、図３に特に限定されず、任意でよい。例えば、サービス提供サーバ１の機能ブロックを視聴者端末３等に移譲させてもよいし、逆に視聴者端末３の機能ブロックをサービス提供サーバ１等に移譲させてもよい。
また、１つの機能ブロックは、ハードウェア単体で構成してもよいし、ソフトウェア単体で構成してもよいし、それらの組み合わせで構成してもよい。
【００４５】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００４６】
このようなプログラムを含む記録媒体は、配信者及び視聴者にプログラムを提供するために装置本体とは別に配布される図示せぬリムーバブルメディアにより構成されるだけでなく、装置本体に予め組み込まれた状態で配信者及び視聴者に提供される記録媒体等で構成される。
【００４７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００４８】
換言すると、本発明が適用される情報処理システムは、上述の図１の例を含め、次のような構成を有する各種各様の実施形態を取ることができる。
即ち、本発明が適用される情報処理システムは、
配信者が体験した内容を配信コンテンツとして視聴者端末（例えば図１の視聴者端末３）に送信し、
前記視聴者端末で前記配信コンテンツを再生させることで前記配信者が体験した内容を視聴者に疑似体験させ、
前記配信者が体験した内容を３Ｄ画像として再生させる為の１以上の視差の画像を撮像する撮像部（例えば図３のステレオカメラ５０）と、
前記配信者が体験した内容を音声として取得する音声取得部（例えば図３のマイクロフォン５３）と、
を含む配信者側システム（例えば図１の配信者側システム２）と、
サービス提供サーバ（例えば図１のサービス提供サーバ１）と、
前記視聴者端末（例えば図１の視聴者端末３）と、
を含み、
前記配信者側システムは、
前記撮像部により撮像された前記１以上の画像と、前記音声取得部により取得された前記音声とを用いて、前記配信コンテンツを生成するコンテンツ生成部（例えば図３のコンテンツ生成部６４）を備え、
前記サービス提供サーバは、
前記配信コンテンツを取得する第１コンテンツ取得部（例えば図３のコンテンツ取得部７０）と、
取得された前記配信コンテンツを、前記視聴者端末に配信する制御を実行する配信制御部（例えば図３の配信制御部７４）と、
を備え、
前記視聴者端末は、
前記サービス提供サーバから配信された前記配信コンテンツを取得する第２コンテンツ取得部（例えば図３のコンテンツ取得部８１）と、
取得された前記配信コンテンツを再生することで前記配信者が体験した内容を前記視聴者に疑似体験をさせる疑似体験提供部（例えば図３の疑似体験提供部８２）
を備える。
これにより、視聴者端末で配信コンテンツを再生させることで、配信者が体験した内容を視聴者に疑似体験させることができる。その際に、特別な配信機構及び再生機構が不要な、３Ｄコンテンツを配信できる情報処理システムを提供することができる。
【００４９】
また、本発明が適用される情報処理システムは、
前記配信者が必要に応じて、撮像中に当該撮像画像を加工して配信させる指示を当該撮像画像と関連付けて前記サービス提供サーバに送信する加工指示部（例えば図３の加工指示部６５）
をさらに備え、
前記サービス提供サーバは、
前記第１コンテンツ取得部に取得された前記配信コンテンツを解析して有害情報を抽出する有害情報解析部（例えば図３の有害情報解析部７１）と、
前記配信者側システムの前記加工指示部か送信された前記指示を取得する加工指示取得部（例えば図３の加工指示取得部７２）と、
前記指示と前記有害情報との少なくとも一方に基づいて、前記配信コンテンツの少なくとも一部を加工する加工部（例えば図３の加工部７３）と、
を更に備え、
前記配信制御部（例えば図３の配信制御部７４）は、前記加工部に加工された前記配信コンテンツを、前記視聴者端末に配信する制御を実行する。
【００５０】
このようにして、プライバシー等のコンプライアンスに関する問題を解決する手法が確立される。即ち、リアルタイムのモザイク処理等を適用することができる。
【００５１】
また、前記情報処理システムは、
前記配信コンテンツが有料コンテンツである場合に、当該有料コンテンツの視聴について課金の可否を確認する旨を前記視聴者端末に問合せ、課金に応じる旨の応答を当該視聴者端末から受信すれば課金処理の実行を制御し、課金に応じない旨の応答を受信すれば前記配信制御部に対して配信を停止させる制御を実行する課金管理部（例えば図３の課金管理部７５）
をさらに備え、
前記視聴者端末は、
有料コンテンツの視聴について課金の可否を前記視聴者に応答させ、当該応答を前記サービス提供サーバに送信する支払制御部（例えば図３の支払制御部８７）
を更に備える。
【００５２】
この様にすることにより、配信者に報酬を支払うことが可能となり、配信者に魅力的なコンテンツを提供させる動機を与えることができるようになる。
その結果、多数の視聴者が、当該システムを利用するようになり、これに伴って課金がなされ、その一部が配信者の報酬となって、その結果、更にコンテンツを提供させる動機を与えることで、課金及び広告収入等によりサイト運営者、インターネットサービスプロバイダ、撮影機材メーカ、携帯端末メーカ等への利益還流などが起こり、市場が活性化されることが期待される。
【符号の説明】
【００５３】
１・・・サービス提供サーバ、２・・・配信者側システム、３・・・視聴者端末、４・・・課金サービス提供サーバ、２１・・・ＣＰＵ、２２・・・ＲＯＭ、２３・・・ＲＡＭ、２４・・・バス、２５・・・入出力インターフェース、２６・・・出力部、２７・・・入力部、２８・・・記憶部、２９・・・通信部、３０・・・ドライブ、４１・・・リムーバブルメディア、５０・・・ステレオカメラ、５１・・・左眼撮像部、５２・・・右眼撮像部、５３・・・マイクロフォン、６０・・・ミキシング部、６１・・・左眼画像取得部、６２・・・右眼画像取得部、６３・・・音声データ取得部、６４・・・コンテンツ生成部、６５・・・加工指示部、７０・・・コンテンツ取得部、７１・・・有害情報解析部、７２・・・加工指示取得部、７３・・・加工部、７４・・・配信制御部、７５・・・課金管理部、７６・・・配信コンテンツＤＢ、８１・・・コンテンツ取得部、８３・・・３Ｄ画像出力制御部、８４・・・音声出力制御部、８７・・・支払制御部
【図１】
2018113546.tif 000003
【図２】
2018113546.tif 000004
【図３】
2018113546.tif 000005
【図４】
2018113546.tif 000006
【図５】
2018113546.tif 000007